(57)【要約】【課題】  接続箱の機能をパワーコンディショナーと共に収容することで、開閉器の接続不良を検出する機能を低コストで組み付け可能としたパワーコンディショナ収容箱を提供する。【解決手段】  太陽電池により発電された電力が伝送されるケーブル８ａが接続される複数の開閉器１と、開閉器１の接続端子４の接続不良を検出する接続不良検出回路５とが組み込まれ、接続不良検出回路５の駆動電源が、パワーコンディショナ９を制御する制御回路３の電源部７から供給され、接続不良検出回路５はパワーコンディショナ９の制御回路３を形成した回路基板１０上に形成した。【選択図】  図１
2017192270.tif 000002
【特許請求の範囲】
【請求項１】
太陽光発電電力を直流から交流に変換するパワーコンディショナが組み込まれたパワーコンディショナ収容箱であって、
太陽電池により発電された電力が伝送されるケーブルが接続される複数の開閉器と、前記開閉器の接続端子の接続不良を検出する接続不良検出回路とが組み込まれ、
前記接続不良検出回路の駆動電源が、前記パワーコンディショナを制御する制御回路の電源部から供給されることを特徴とするパワーコンディショナ収容箱。
【請求項２】
前記接続不良検出回路は、パワーコンディショナの前記制御回路が組み付けられた回路基板上に形成されて成ることを特徴とする請求項１記載のパワーコンディショナ収容箱。
【発明の詳細な説明】
【技術分野】
【０００１】
本発明は、太陽光発電システムにおいて発電した電力を商用電力に連系させるためのパワーコンディショナを収容したパワーコンディショナ収容箱に関する。
【背景技術】
【０００２】
太陽光発電システムは、複数の太陽電池パネルで発電した電気をパワーコンディショナに送るケーブルから成る電路の開閉を行うための接続箱や、直流発電電力を商用電力に連系させるために交流に変換するパワーコンディショナ等を備えている。
図２はこのような従来の太陽光発電システムの概略図であり、１２は複数の太陽電池モジュール１１が連結された太陽電池ストリング、１３は開閉器１３ａを収容した接続箱、１４はパワーコンディショナ、１５は分電盤である。接続箱１３は太陽電池モジュール１１の近くに設置され、パワーコンディショナ１４は住戸内に設置された分電盤１５の近くに設置され、互いに独立して設置された。
【０００３】
一方で、ケーブルが接続された接続端子の接続不良を検出する回路がある。例えば特許文献２では、ケーブルに固着された圧着端子と、圧着端子を座金に連結するための端子ネジ及びナット等で構成される接続端子において、座金と端子ネジ及びナットとが導通しないよう構成し、座金とナットの間に発生する電位差情報を基にケーブルの接続不良を検出した。
【先行技術文献】
【特許文献】
【０００４】
【特許文献１】特開２００９−１６０８４号公報
【発明の概要】
【発明が解決しようとする課題】
【０００５】
上述したように、接続箱１３には太陽電池ストリング１２から延設された多数のケーブルが引き込まれて個々に開閉器１３ａに接続される。このとき、ネジ止めして接続されるため、メンテナンス時のケーブル操作等でネジの緩みによる接続不良が発生する問題があった。
そのため、上述した特許文献１に開示されているような接続不良検出回路を組み込めば接続不良を検出できるため有効であるが、接続不良検出回路には安定した電源が必要なため、電源も合わせて引き込まなければならなかった。ところが、接続箱は住戸からは離れた場所に設置されているため電源の確保が難しく現実的ではなかった。
【０００６】
そこで、本発明はこのような問題点に鑑み、パワーコンディショナには安定した電源が組み込まれている点を踏まえて、接続箱の機能をパワーコンディショナと共に収容することで、開閉器の接続不良を検出する機能を低コストで組み付け可能としたパワーコンディショナ収容箱を提供することを目的としている。
【課題を解決するための手段】
【０００７】
上記課題を解決する為に、請求項１の発明は、太陽光発電電力を直流から交流に変換するパワーコンディショナが組み込まれたパワーコンディショナ収容箱であって、太陽電池により発電された電力が伝送されるケーブルが接続される複数の開閉器と、開閉器の接続端子の接続不良を検出する接続不良検出回路とが組み込まれ、接続不良検出回路の駆動電源が、パワーコンディショナを制御する制御回路の電源部から供給されることを特徴とする。
この構成によれば、接続不良検出回路の駆動に必要な電源は、元々パワーコンディショナに備わっている制御回路の電源部を使用するため、新たに電源回路を設けること無く低コストで開閉器の接続不良を検出できる。
【０００８】
請求項２の発明は、請求項１に記載の構成において、接続不良検出回路は、パワーコンディショナの制御回路が組み付けられた回路基板上に形成されて成ることを特徴とする。
この構成によれば、接続不良検出回路のために新たな回路基板を組み付ける必要が無いし、電源部からの配線も別途設ける必要が無くコストダウンを図ることができる。
【発明の効果】
【０００９】
本発明によれば、接続不良検出回路の駆動に必要な電源は、元々パワーコンディショナに備わっている制御回路の電源部を使用するため、新に電源回路を設けること無く低コストで開閉器の接続不良を検出できる。
【図面の簡単な説明】
【００１０】
【図１】本発明に係るパワーコンディショナ収容箱の一例を示す概略構成図である。
【図２】従来の太陽光発電システムの構成図である。
【発明を実施するための形態】
【００１１】
以下、本発明を具体化した実施の形態を、図面を参照して詳細に説明する。図１は本発明に係るパワーコンディショナ収容箱の一例を示す概略構成図であり、１は開閉器、２は商用電力系統に連系するために太陽電池が発電した直流電力を昇圧して交流に変換するＤＣ／ＡＣ変換部、３はＤＣ／ＡＣ変換部２を制御する制御回路、４は開閉器１の接続端子、５は接続不良を検出する接続不良検出回路、６は接続不良の発生を通知するための通知回路で接続不良が発生したら警報音を発する報音部６ａと、接続不良発生箇所を表示する表示部６ｂを有している。また、７は各回路を動作させるための電源部であり、分電盤（図示せず）から配設されたの分岐電路７ａが接続されている。
【００１２】
尚、制御回路３、接続不良検出回路５、通知回路６は、共通する１枚の回路基板１０上に形成されている。また、ＤＣ／ＡＣ変換部２と制御回路３と電源回路７とでパワーコンディショナ９を構成している。
【００１３】
開閉器１は、一次側に図示しない太陽電池ストリングから延びたケーブル８ａが接続され、二次側はケーブル８ｂを介してＤＣ／ＡＣ変換部２に接続されている。図１では、２つの太陽電池ストリングが接続された構成を示しており、それぞれ正極／負極から成る１対のケーブル（図面上では１本の線で示したケーブル）８ａが開閉器１に接続され、開閉器は２個設置された場合を示している。よって、開閉器１の数は、接続される太陽電池ストリングの数に応じて増減される。
尚、開閉器１は、一次側、二次側共に正極と負極の２極で構成され、１つの開閉器１に４個の接続端子が配置されている。
【００１４】
接続不良検出回路５は、接続端子４毎の接続不良を検知するよう構成され、例えば上記特許文献１に開示されている技術が適用される。具体的に図１においては、１つの開閉器１につき４個の接続端子４を有し、２つの開閉器１，１で計８個の接続端子４の接続不良を検出するために、接続不良検出回路５は端子電圧を検出するセンサ回路（図示せず）を８回路有して構成されている。
そして、接続不良が検出されたら、報音部６ａから警報音が報音され、表示部６ｂにおいて発生場所が表示される。例えば、８個のＬＥＤが設けられ、検知した接続端子４に対応するＬＥＤが点灯動作等することで、容易に不良発生箇所を認識できる。
【００１５】
このように、接続不良検出回路５の駆動に必要な電源は、元々パワーコンディショナ９に備わっている制御回路３の電源部７を使用するため、新たに電源回路を設けること無く低コストで開閉器１の接続不良を検出できる。
また、パワーコンディショナ９の回路基板１０上に接続不良検出回路５を形成するため、新たな回路基板を組み付ける必要が無いし、電源部７からの配線も別途設ける必要が無くコストダウンを図ることができる。
【００１６】
尚、上記実施形態では、接続不良検出回路５を接続端子４毎に設けて判定しているが、対を成す一次側の端子と二次側の端子の電圧を比較（太陽電池から配設されたケーブル８ａとパワーコンディショナ９に接続されたケーブル８ｂの電圧を比較）して検出しても良く、この場合、接続不良検出回路５のセンサ回路の数を半減できる。
【符号の説明】
【００１７】
１・・開閉器、２・・ＤＣ／ＡＣ変換部、３・・制御回路、４・・接続端子、５・・接続不良検出回路、６・・通知回路、７・・電源部、８ａ，８ｂ・・ケーブル、９・・パワーコンディショナ、１０・・回路基板。
【図１】
2017192270.tif 000003
【図２】
2017192270.tif 000004